(57)【特許請求の範囲】
【請求項１】
測定された被測定量を示す第１画面を表示部に表示させる表示制御部と、前記表示部に前記第１画面が表示されている状態において予め決められた指示操作がされたときに、当該第１画面の画像を含む画像データを生成する生成処理を実行する処理部とを備え、
前記表示制御部は、前記第１画面が表示されている状態において前記指示操作がされたときに、当該第１画面における前記被測定量に関連する関連情報の入力用の第２画面を前記表示部に表示可能に構成され、
前記処理部は、前記生成処理において、前記第２画面内への前記関連情報の入力が終了したときに、前記第１画面の画像と前記第２画面内の前記関連情報の画像とを一体にした一体化画像の前記画像データを生成するデータ生成装置であって、
前記関連情報の入力および非入力を選択可能に構成され、
前記表示制御部は、前記関連情報の入力が選択されていると共に前記第１画面が表示されている状態において前記指示操作がされたときに、前記第２画面を前記表示部に表示させ、
前記処理部は、前記生成処理において、前記関連情報の非入力が選択されていると共に前記第１画面が表示されている状態において前記指示操作がされたときに、前記第１画面の画像のみの前記画像データを生成するデータ生成装置。
【請求項２】
請求項１記載のデータ生成装置と、前記被測定量を測定する測定部とを備えている測定装置。
【請求項３】
測定された被測定量を示す第１画面を表示部に表示させると共に、前記表示部に前記第１画面が表示されている状態において予め決められた指示操作がされたときに、当該第１画面の画像を含む画像データを生成する生成処理を実行し、
前記第１画面が表示されている状態において前記指示操作がされたときに、当該第１画面における前記被測定量に関連する関連情報の入力用の第２画面を前記表示部に表示させ、
前記生成処理において、前記第２画面内への前記関連情報の入力が終了したときに、前記第１画面の画像と前記第２画面内の前記関連情報の画像とを一体にした一体化画像の前記画像データを生成するデータ生成方法であって、
前記関連情報の入力が選択されていると共に前記第１画面が表示されている状態において前記指示操作がされたときに、前記第２画面を前記表示部に表示させ、
前記生成処理において、前記関連情報の非入力が選択されていると共に前記第１画面が表示されている状態において前記指示操作がされたときに、前記第１画面の画像のみの前記画像データを生成するデータ生成方法。
【発明の詳細な説明】
【技術分野】
【０００１】
本発明は、表示部に表示された被測定量を示す第１画面を含む画像の画像データを生成するデータ生成装置、測定装置およびデータ生成方法に関するものである。
【背景技術】
【０００２】
この種の装置として、下記特許文献１において出願人が開示した測定表示装置が知られている。この測定表示装置では、入力信号の波形をディスプレイに表示させている状態において操作部のプリンタキーが操作されたときには、ディスプレイに表示されている画面と同じ画面がプリンタによってプリントアウトされる。
【先行技術文献】
【特許文献】
【０００３】
【特許文献１】特開平９−１５９６９９号公報（第３頁、第２図）
【発明の概要】
【発明が解決しようとする課題】
【０００４】
ところが、上記の測定表示装置には、改善すべき以下の課題がある。すなわち、この測定表示装置では、ディスプレイに表示されている波形の画面と同じ画面をプリントアウトすることが可能となっている。一方、プリントアウトした波形が、どのような測定条件で測定された波形であるかを記録したいことがある。この場合、この測定表示装置では、測定表示装置に対して設定した測定条件（例えば、サンプリングレート等）を波形の画面に表示する機能を有しており、このような測定条件を波形の画面と共にプリントアウトすることが可能なものの、測定場所および測定時の温度や湿度等の測定表示装置自体では特定することができない情報を波形の画面と共にプリントアウトすることは困難である。また、ディスプレイに表示されている波形を見て測定者が気づいた事項を文字情報として波形と共にプリントアウトしたいという要望もある。しかしながら、この測定表示装置では、このような要望に対応することも困難である。また、プリントアウトに代えて、各画面の画像を取り込んで画像データとして保存する際にも、プリントアウトを行うのと同様にして、上記した任意の情報を波形の画面と共に画像データとして保存することは困難である。
【０００５】
本発明は、かかる改善すべき課題に鑑みてなされたものであり、被測定量を示す第１画面における被測定量に関連する任意の関連情報を把握可能な画像データを確実かつ容易に生成し得るデータ生成装置、測定装置およびデータ生成方法を提供することを主目的とする。
【課題を解決するための手段】
【０００６】
上記目的を達成すべく請求項１記載のデータ生成装置は、測定された被測定量を示す第１画面を表示部に表示させる表示制御部と、前記表示部に前記第１画面が表示されている状態において予め決められた指示操作がされたときに、当該第１画面の画像を含む画像データを生成する生成処理を実行する処理部とを備え、前記表示制御部は、前記第１画面が表示されている状態において前記指示操作がされたときに、当該第１画面における前記被測定量に関連する関連情報の入力用の第２画面を前記表示部に表示可能に構成され、前記処理部は、前記生成処理において、前記第２画面内への前記関連情報の入力が終了したときに、前記第１画面の画像と前記第２画面内の前記関連情報の画像とを一体にした一体化画像の前記画像データを生成するデータ生成装置であって、前記関連情報の入力および非入力を選択可能に構成され、前記表示制御部は、前記関連情報の入力が選択されていると共に前記第１画面が表示されている状態において前記指示操作がされたときに、前記第２画面を前記表示部に表示させ、前記処理部は、前記生成処理において、前記関連情報の非入力が選択されていると共に前記第１画面が表示されている状態において前記指示操作がされたときに、前記第１画面の画像のみの前記画像データを生成する。
【０００８】
また、請求項２記載の測定装置は、請求項１記載のデータ生成装置と、前記被測定量を測定する測定部とを備えている。
【０００９】
また、請求項３記載のデータ生成方法は、測定された被測定量を示す第１画面を表示部に表示させると共に、前記表示部に前記第１画面が表示されている状態において予め決められた指示操作がされたときに、当該第１画面の画像を含む画像データを生成する生成処理を実行し、前記第１画面が表示されている状態において前記指示操作がされたときに、当該第１画面における前記被測定量に関連する関連情報の入力用の第２画面を前記表示部に表示させ、前記生成処理において、前記第２画面内への前記関連情報の入力が終了したときに、前記第１画面の画像と前記第２画面内の前記関連情報の画像とを一体にした一体化画像の前記画像データを生成するデータ生成方法であって、前記関連情報の入力が選択されていると共に前記第１画面が表示されている状態において前記指示操作がされたときに、前記第２画面を前記表示部に表示させ、前記生成処理において、前記関連情報の非入力が選択されていると共に前記第１画面が表示されている状態において前記指示操作がされたときに、前記第１画面の画像のみの前記画像データを生成する。
【発明の効果】
【００１０】
請求項１記載のデータ生成装置、請求項２記載の測定装置、および請求項３記載のデータ生成方法では、第１画面が表示されている状態において指示操作がされたときに、第１画面における被測定量に関連する関連情報の入力用の第２画面を表示させ、第２画面内への関連情報の入力が終了したときに、第１画面の画像と第２画面内の関連情報の画像とを一体にした一体化画像の画像データを生成する。このため、このデータ生成装置、測定装置およびデータ生成方法によれば、測定場所や測定時の温度や湿度等のデータ生成装置（測定装置）自体では特定することが困難な関連情報、および第１画面を見て測定者が気づいた関連情報などの、第１画面における被測定量の解析等を行う際に有益な任意の関連情報を把握可能な画像データを確実かつ容易に生成することができる。
【００１１】
また、請求項１記載のデータ生成装置、および請求項２記載の測定装置では、関連情報の非入力が選択されていると共に第１画面が表示されている状態において指示操作がされたときに、第１画面の画像のみの画像データを生成する。このため、このデータ生成装置および測定装置によれば、関連情報を入力（記録）する必要がないときには、予め「関連情報の非入力」を選択しておくことで、関連情報に相当するデータを省略したデータサイズが小さい画像データを生成させることができるため、画像データを記憶させる記憶部の効率的な利用、および画像データの読み出しや書き込みの高速化を図ることができる。また、このような画像データを生成させることで、画像データに基づく画像をプリントアウトしたり、表示させたりする際に、関連情報を表示するスペースを省くことができる。
【図面の簡単な説明】
【００１２】
【図１】測定装置１の正面図である。
【図２】測定装置１の構成を示す構成図である。
【図３】波形画面Ｇ１の表示画面図である。
【図４】関連情報入力画面Ｇ２の表示画面図である。
【図５】生成処理５０のフローチャートである。
【図６】一体化画像Ｇｃの構成を示す構成図である。
【図７】画像Ｇｅの構成を示す構成図である。
【図８】選択画面Ｇ３の表示画面図である。
【発明を実施するための形態】
【００１３】
以下、データ生成装置、測定装置およびデータ生成方法の実施の形態について、添付図面を参照して説明する。
【００１４】
最初に、測定装置１の構成について説明する。図１に示す測定装置１は、測定装置の一例であって、被測定量（例えば、図外の測定対象を流れる電流）を測定すると共に、図３に示す波形画面Ｇ１（被測定量を示す第１画面の一例）や図４に示す関連情報入力画面Ｇ２（被測定量に関連する関連情報の入力用の第２画面の一例）等の各種の画面を表示可能に構成されている。また、測定装置１は、波形画面Ｇ１を含む画像の画像データＤ４を生成可能に構成されている。
【００１５】
また、この測定装置１では、被測定量に関連する関連情報（例えば、測定目的、測定装置１の名称、測定時の気温、湿度、表示された波形画面Ｇ１の特徴（測定者が気づいた事項）等の情報）を測定者が任意に入力（例えば、文字で入力）して、その関連情報を関連情報データＤ３として第２メモリ１３に記憶させることが可能となっている（以下、この機能を「関連情報記録機能」ともいう）。具体的には、測定装置１は、図２に示すように、信号変換部１１、第１メモリ１２、第２メモリ１３、表示制御部１４、表示部１５、操作部１６および制御部１７を備えて構成されている。この場合、表示制御部１４、操作部１６および制御部１７によってデータ生成装置が構成される。
【００１６】
信号変換部１１は、制御部１７の制御に従って変換処理を実行し、図外のセンサから出力される電気信号ＳｍをＡ／Ｄ変換して波形データＤ１を出力する。この場合、この測定装置１では、信号変換部１１が複数の（一例として、１ＣＨ〜４ＣＨまでの４つの）変換回路を備えて、複数の電気信号Ｓｍに対して並行して変換処理を実行可能に構成されている。第１メモリ１２は、制御部１７の制御に従い、信号変換部１１から出力される波形データＤ１、並びに制御部１７によって生成される測定データＤ２および関連情報データＤ３等を記憶する。第２メモリ１３は、制御部１７によって実行される後述する生成処理によって生成される画像データＤ４を記憶する。
【００１７】
表示制御部１４は、制御部１７の制御に従い、各種の画面を表示部１５に表示させる表示処理を実行する。具体的には、表示制御部１４は、第１メモリ１２に記憶されているデータに基づき、図外のＶＲＡＭ上に表示用データを書き込み、その表示用データを表示部１５に出力することにより、表示部１５に画面を表示させる。この場合、表示制御部１４は、第１メモリ１２に記憶されている波形データＤ１および測定データＤ２に基づく波形画面Ｇ１（図３参照）を表示させる。また、表示制御部１４は、図４に示す関連情報入力画面Ｇ２を表示させることが可能に構成されると共に、制御部１７によって生成される関連情報データＤ３に基づく文字画像を関連情報入力画面Ｇ２内に表示させることが可能に構成されている（同図参照）。
【００１８】
表示部１５は、例えば液晶パネルで構成されて、図１に示すように、測定装置１の正面パネルに配設され、表示制御部１４の制御に従って波形画面Ｇ１および関連情報入力画面Ｇ２等の各種の画面を表示する。
【００１９】
操作部１６は、図１に示すように、電源スイッチ２１、記録開始キー２２、記録終了キー２３、波形表示キー２４、測定条件設定キー２５、関連情報記録機能設定キー２６およびコピーキー２７等の各種のスイッチやキーが配設されて構成され、これらが操作されたときに、操作信号Ｓｏを出力する。また、この測定装置１では、図外のキーボード等の入力装置を接続可能に構成され、接続された入力装置に対する操作（関連情報の入力）がされたときに、操作部１６が操作に応じた操作信号Ｓｏを出力する。
【００２０】
制御部１７は、操作部１６から出力される操作信号Ｓｏに従って測定装置１を構成する各部を制御する。また、制御部１７は、測定部として機能し、信号変換部１１から出力される波形データＤ１に基づいて被測定量（例えば、測定対象を流れる電流）を測定する。また、制御部１７は、処理部として機能し、図５に示す生成処理５０を実行して、表示部１５に表示される波形画面Ｇ１を少なくとも含む画像の画像データＤ４を生成する。
【００２１】
この場合、制御部１７は、生成処理５０において、上記した関連情報記録機能がオン状態に設定されている（「関連情報の入力」が選択されている）と共に、波形画面Ｇ１が表示部１５に表示されている状態において、操作部１６のコピーキー２７に対する操作（予め決められた指示操作の一例）がされたときに、表示制御部１４を制御して、関連情報入力画面Ｇ２を表示部１５に表示させると共に、その状態において操作部１６から出力される操作信号Ｓｏに基づく関連情報データＤ３を生成して第２メモリ１３に記憶させる。
【００２２】
また、制御部１７は、関連情報入力画面Ｇ２内に関連情報が入力されて、コピーキー２７に対する操作が再度行われたときに（関連情報入力画面Ｇ２内への関連情報の入力が終了したときに）、波形画面Ｇ１の画像と関連情報入力画面Ｇ２内に入力された関連情報の画像とを一体にした一体化画像Ｇｃの画像データＤ４を生成して、第２メモリ１３に記憶させる。
【００２３】
この場合、この測定装置１では、関連情報記録機能設定キー２６を操作することで、関連情報記録機能のオン状態およびオフ状態を任意に設定すること、つまり「関連情報の入力」および「関連情報の非入力」を任意に選択することが可能となっており、関連情報記録機能がオフ状態に設定されている（「関連情報の非入力」が選択されている）と共に、波形画面Ｇ１が表示部１５に表示されている状態において、操作部１６のコピーキー２７に対する操作（指示操作）がされたときには、制御部１７は、波形画面Ｇ１の画像Ｇｅ（図７参照）のみの画像データを画像データＤ４として生成して、第２メモリ１３に記憶させる。
【００２４】
次に、測定装置１を用いて被測定量（例えば、測定対象を流れる電流）を測定して、画像データＤ４を生成するデータ生成方法、および、その際の測定装置１の動作について、図面を参照して説明する。なお、３つの測定対象を流れる電流を並行して測定する例について説明する。また、測定装置１には、図外のキーボード（入力装置）が接続されているものとする。
【００２５】
まず、操作部１６の電源スイッチ２１を操作して、電源を投入する。次いで、被測定量の測定に先立ち、測定条件を設定する。具体的には、操作部１６の測定条件設定キー２５を操作して、測定条件の設定の開始を指示する。この際に、操作部１６が操作信号Ｓｏを出力し、制御部１７が、操作信号Ｓｏに従って表示制御部１４に対して表示処理の実行を指示する。これに応じて、表示制御部１４が、表示処理を実行して、測定条件画面（図示せず）を表示部１５に表示させる。続いて、操作部１６を操作して測定条件を入力する。この際に、制御部１７は、操作部１６から出力される操作信号Ｓｏに基づいて測定条件を示すデータを生成して第１メモリ１２に記憶させる。
【００２６】
次いで、図外の３つの測定対象（電線）にそれぞれ配置した図外の３つのセンサを信号変換部１１に接続し、続いて、操作部１６の記録開始キー２２を操作して、記録の開始を指示する。この際に、操作部１６が操作信号Ｓｏを出力し、制御部１７が、操作信号Ｓｏに従って信号変換部１１に変換処理を実行させる。この変換処理では、信号変換部１１の各変換回路が、入力した（各センサからそれぞれ出力された）電気信号ＳｍをＡ／Ｄ変換して波形データＤ１をそれぞれ出力する。また、制御部１７は、信号変換部１１から出力された各波形データＤ１を第１メモリ１２に記憶させる。また、制御部１７は、各波形データＤ１に基づいて測定対象を流れる被測定量としての電流を測定して、測定データＤ２を第１メモリ１２に記憶させる。
【００２７】
次いで、記録を終了する際には、操作部１６の記録終了キー２３を操作する。この際に、操作部１６が操作信号Ｓｏを出力し、制御部１７が、信号変換部１１を制御して変換処理を停止させる。
【００２８】
続いて、記録した被測定量の波形画面Ｇ１（センサから出力された電気信号Ｓｍの波形を示す画像）を表示させる際には、操作部１６の波形表示キー２４を操作する。この際に、操作部１６が、操作信号Ｓｏを出力し、制御部１７が、表示制御部１４に対して表示処理の実行を指示する。これに応じて、表示制御部１４が表示処理を実行する。この表示処理では、表示制御部１４は、第１メモリ１２から波形データＤ１および測定データＤ２を読み出す。次いで、表示制御部１４は、波形データＤ１および測定データＤ２に基づき、図３に示すように、３つの測定対象をそれぞれ流れる被測定量としての電流の波形（３つの波形）および電流の測定値を示す第１画面としての波形画面Ｇ１を表示部１５に表示させる。
【００２９】
ここで、表示部１５に表示された波形画面Ｇ１における被測定量（この例では、測定対象を流れる電流）に関連する関連情報を波形画面Ｇ１の画像データと共に記録しておくと、測定対象の被測定量についての解析を行う際に有益である。このため、この測定装置１では、このような関連情報を入力して関連情報データＤ３として記憶させる関連情報記録機能を備えている。この関連情報記録機能をオン状態に設定する（「関連情報の入力」を選択する）際には、波形画面Ｇ１の画像データＤ４の生成を指示する操作（指示操作）に先立ち、操作部１６の関連情報記録機能設定キー２６を操作する。
【００３０】
この場合、この測定装置１では、一例として、初期状態において、関連情報記録機能がオフ状態に設定され（「関連情報の非入力」が選択され）、この状態で関連情報記録機能設定キー２６を操作する（１回だけ押す）ことで、情報記録機能がオフ状態からオン状態に切り替わる。また、この測定装置１では、情報記録機能がオン状態に設定されているときに、関連情報記録機能設定キー２６を操作する（１回だけ押す）ことで、情報記録機能がオン状態からオフ状態に切り替わる。
【００３１】
一方、制御部１７は、表示制御部１４に対する表示処理の実行を指示した後に、図５に示す生成処理５０を実行する。この生成処理５０では、制御部１７は、操作部１６のコピーキー２７の操作がされたか否か（コピーキー２７に対応する操作信号Ｓｏを出力されたか否か）を繰り返して判別する（ステップ５１）。
【００３２】
続いて、表示部１５に表示されている波形画面Ｇ１を画像データとして保存するときには、操作部１６のコピーキー２７を操作する（予め決められた指示操作をする）。この際に、操作部１６が操作信号Ｓｏを出力し、制御部１７が、上記したステップ５１において、コピーキー２７の操作がされたと判別する。
【００３３】
次いで、制御部１７は、関連情報記録機能がオン状態であるか否かを判別する（ステップ５２）。この場合、上記したように、関連情報記録機能がオン状態に設定されているため、制御部１７は、関連情報記録機能がオン状態であると判別し、続いて、表示制御部１４によって図外のＶＲＡＭ上に書き込まれている波形画面Ｇ１の表示用データを画像データに変換する（ステップ５３）。この場合、画像データは、ビットマップ等のラスタ形式のデータでもよいし、ベクタ形式のデータでもよい。
【００３４】
続いて、制御部１７は、表示制御部１４に対して関連情報入力画面Ｇ２を表示させる表示処理の実行を指示する（ステップ５４）。これに応じて、表示制御部１４が、表示処理を実行して、図４に示す関連情報入力画面Ｇ２を表示部１５に表示させる。
【００３５】
次いで、測定者が、測定装置１に接続されている図外のキーボードを操作して、被測定量（測定対象に流れる電流）に関連する関連情報を入力する。この場合、一例として、図４に示すように、測定目的（同図における「ｆ特評価」）、測定装置１の名称、測定時の気温、湿度、および波形画面Ｇ１における波形の特徴（測定者が気づいた事項や意見）の情報を関連情報として文字で入力する。この際に、操作部１６が、操作信号Ｓｏを出力し、制御部１７が、操作信号Ｓｏに基づいて関連情報を示す関連情報データＤ３を生成して第２メモリ１３に記憶させる（ステップ５５）。
【００３６】
続いて、測定者は、関連情報の入力が終了したときには、コピーキー２７を操作（再操作）する。この際に、操作部１６が操作信号Ｓｏを出力して、制御部１７が、コピーキー２７が操作された（関連情報入力画面Ｇ２内への関連情報の入力が終了した）と判別し、次いで、関連情報データＤ３を画像データ（上記したステップ５３において変換した画像データと同じ形式のデータ）に変換する（ステップ５６）。
【００３７】
続いて、制御部１７は、波形画面Ｇ１の画像データ（上記したステップ５３において変換した画像データ）と関連情報を示す画像データ（上記したステップ５６において変換した画像データ）とを連結して、図６に示すように、波形画面Ｇ１の画像と、関連情報入力画面Ｇ２内に入力された関連情報の画像とを一体にした一体化画像Ｇｃの画像データＤ４を生成する（ステップ５７）。次いで、制御部１７は、生成した画像データＤ４を第２メモリ１３に記憶させる（ステップ５８）。
【００３８】
この測定装置１では、上記したように、関連情報記録機能を予めオン状態に設定しておく（「関連情報の入力」を選択しておく）ことで、波形画面Ｇ１の画像の画像データＤ４の生成を指示する指示操作（コピーキー２７に対する操作）をしたときに、関連情報入力画面Ｇ２が自動的に表示され、その関連情報入力画面Ｇ２内に関連情報を入力することで、その関連情報の画像と波形画面Ｇ１の画像とが一体となった一体化画像Ｇｃの画像データＤ４が生成される。このため、この測定装置１では、測定場所や測定時の温度や湿度等の測定装置１自体では特定することが困難な関連情報、および波形画面Ｇ１を見て測定者が気づいた関連情報などの、波形画面Ｇ１における被測定量の解析等を行う際に有益な任意の関連情報を把握可能な画像データＤ４を確実かつ容易に生成することが可能となっている。
【００３９】
一方、関連情報の入力を省略する（「関連情報の非入力」を選択する）ときには、関連情報記録機能が無効となっている初期状態において（または、関連情報記録機能設定キー２６を操作して関連情報記録機能をオン状態からオフ状態に切り替えている状態で）、かつ波形画面Ｇ１が表示されている状態で、コピーキー２７を操作する。この際には、制御部１７は、上記した生成処理５０のステップ５２において、関連情報記録機能がオン状態ではないと判別する。続いて、制御部１７は、表示制御部１４によって図外のＶＲＡＭ上に書き込まれている波形画面Ｇ１の表示用データを画像データに変換して、図７に示すように、波形画面Ｇ１の画像Ｇｅのみの画像データを画像データＤ４として生成する（ステップ５９）。次いで、制御部１７は、画像データＤ４を第２メモリ１３に記憶させる（ステップ５８）。
【００４０】
なお、第２メモリ１３に記憶させた画像データＤ４に基づく一体化画像Ｇｃ（図６参照）をプリントアウトする際には、図外の出力コネクタに図外のプリンタを接続して、第２メモリ１３から画像データＤ４を読み出し、次いで、プリンタに画像データＤ４を出力する。また、第２メモリ１３に記憶させた画像データＤ４をパーソナルコンピューター等の外部機器に出力したり、記憶媒体を介して外部機器に取り込んだりして、外部機器において一体化画像Ｇｃを表示させることもできる。
【００４１】
このように、このデータ生成装置、測定装置１およびデータ生成方法では、第１画面（波形画面Ｇ１）が表示されている状態において指示操作（コピーキー２７に対する操作）がされたときに、波形画面Ｇ１における被測定量に関連する関連情報の入力用の第２画面（関連情報入力画面Ｇ２）を表示させ、関連情報入力画面Ｇ２内への関連情報の入力が終了したときに、波形画面Ｇ１の画像と関連情報入力画面Ｇ２内に入力された関連情報の画像とを一体にした一体化画像Ｇｃの画像データＤ４を生成する。このため、このデータ生成装置、測定装置１およびデータ生成方法によれば、測定場所や測定時の温度や湿度等の測定装置１自体では特定することが困難な関連情報、および波形画面Ｇ１を見て測定者が気づいた関連情報などの、波形画面Ｇ１における被測定量の解析等を行う際に有益な任意の関連情報を把握可能な画像データＤ４を確実かつ容易に生成することができる。
【００４２】
また、このデータ生成装置、測定装置１およびデータ生成方法では、関連情報記録機能を無効にする設定がされている（「関連情報の非入力」が選択されている）と共に波形画面Ｇ１が表示されている状態において指示操作がされたときに、波形画面Ｇ１の画像のみの画像データＤ４を生成する。このため、このデータ生成装置、測定装置１およびデータ生成方法によれば、関連情報を入力（記録）する必要がないときには、予め関連情報記録機能を無効に設定しておく（予め「関連情報の非入力」を選択しておく）ことで、関連情報に相当するデータを省略したデータサイズが小さい画像データＤ４を生成させることができるため、第２メモリ１３の効率的な利用、および画像データＤ４の読み出しや書き込みの高速化を図ることができる。また、このような画像データＤ４を生成させることで、画像データＤ４に基づく画像をプリントアウトしたり、表示させたりする際に、関連情報を表示するスペースを省くことができる。
【００４３】
なお、データ生成装置、測定装置およびデータ生成方法は、上記の構成および方法に限定されない。例えば、操作部１６のコピーキー２７を操作する以前に、関連情報記録機能設定キー２６を操作して関連情報記録機能のオン状態およびオフ状態を設定する（「関連情報の入力」および「関連情報の非入力」を選択する）例について上記したが、コピーキー２７を操作したときに、「関連情報の入力」および「関連情報の非入力」を選択する構成および方法を採用することもできる。この構成および方法では、コピーキー２７を操作したときに、例えば、図８に示すように、「関連情報の入力」および「関連情報の非入力」を選択させる選択画面Ｇ３を表示部１５に表示させ、操作部１６を操作して選択画面Ｇ３内の「はい」または「いいえ」を選択することで、「関連情報の入力」および「関連情報の非入力」を選択する。
【００４４】
この場合、「はい」（「関連情報の入力」）を選択したときには、関連情報入力画面Ｇ２を表示させて、関連情報入力画面Ｇ２内に入力された関連情報の画像と波形画面Ｇ１の画像とを一体にした一体化画像Ｇｃの画像データＤ４を生成する。一方、「いいえ」（「関連情報の非入力」）を選択したときには、関連情報入力画面Ｇ２を表示させることなく、波形画面Ｇ１の画像のみの画像データを画像データＤ４として生成する。なお、コピーキー２７を操作する以前に関連情報記録機能設定キー２６を操作して関連情報記録機能をオン状態に設定している状態において、コピーキー２７を操作したときに選択画面Ｇ３を表示させる構成および方法（つまり、「関連情報の入力」および「関連情報の非入力」をコピーキー２７の操作時に再度問い合わせる構成および方法）を採用することもできる。
【００４５】
また、３つの測定対象における各被測定量の波形（３つの波形）を示す波形画面Ｇ１を第１画面とする例について上記したが、第１画面は、これらの例には限定されない。具体的には、１つの測定対象における被測定量の波形（１つの波形）を示す波形画面や、２つの測定対象における被測定量の波形（２つの波形）を示す波形画面を第１画面とすることができる。また、４つ以上の測定対象を流れる電流を並行して測定可能に測定装置１を構成したときには、４つ以上の測定対象における被測定量の波形（４つ以上の波形）を示す波形画面を第１画面とすることができる。
【００４６】
また、上記した例（図６に示す例）では、波形画面Ｇ１の画像と、関連情報入力画面Ｇ２内に入力された関連情報の画像とを上下方向に沿って並べて一体にした一体化画像の画像データＤ４を生成しているが、波形画面Ｇ１の画像および関連情報の画像の並べ方はこれに限定されない。例えば、各画像を左右に並べたり、各画像の一部を重ねて並べたり、各画像を離間させて並べたりして一体にした一体化画像の画像データＤ４を生成する構成および方法を採用することもできる。
【００４７】
また、波形画面Ｇ１の画像および関連情報の画像に加えて、波形画面Ｇ１に関連する１または複数の他の画像（例えば、測定条件を示す画像等：以下、「他の画像」ともいう）を一体にした一体化画像の画像データＤ４を生成する構成および方法を採用することもできる。また、「関連情報の画像」を除いて、波形画面Ｇ１と１または複数の他の画像とを一体にした一体化画像の画像データＤ４を生成する構成および方法を採用することもできる。
【００４８】
また、測定装置１に接続したキーボード（入力装置）を操作して関連情報を入力する例について上記したが、操作部１６のキーに対する操作や、表示部１５にタッチパネルを配設して、そのタッチパネルに対する操作によって関連情報を入力する構成および方法を採用することもできる。また、キーボードや文字等を直接入力する構成に代えて、予め用意された定型の関連情報（文字情報）の中から任意の関連情報を選択することによって関連情報を入力する構成および方法を採用することもできる。
【００４９】
また、コピーキー２７に対する操作を指示操作とした例について上記したが、他のキーに対する操作や、ポインティングデバイスを用いた操作を指示操作とする構成および方法を採用することもできる。また、表示部１５にタッチパネルを配設して、そのタッチパネルに対する操作を指示操作とする構成および方法を採用することもできる。
【００５０】
また、関連情報入力画面Ｇ２が表示されている状態におけるコピーキー２７に対する操作を、関連情報の入力が終了したことを示す操作（入力終了操作）とする例について上記したが、コピーキー２７とは異なるキーに対する操作を入力終了操作とすることもできるし、ポインティングデバイスを用いた操作を入力終了操作としたり、表示部１５にタッチパネルを配設して、そのタッチパネルに対する操作を入力終了操作としたりすることもできる。
【００５１】
また、被測定量としての電流を測定する例について上記したが、被測定量は、電流に限定されない。例えば、電圧、抵抗、電力、位相、温度、湿度、歪み、輝度、照度等の各種の物理量や、原子量、分子量、化学式量等の各種の化学量も被測定量に含まれる。したがって、データ生成装置、測定装置、およびデータ生成方法を用いて、これらの各種の被測定量を測定する際にも、上記した各効果を実現することができる。
【００５２】
また、制御部１７が処理部および測定部の双方として機能する例について上記したが、処理部と測定部とを別々のデバイスで構成することもできる。また、処理部、測定部および表示制御部（上記の例における制御部１７および表示制御部１４）を１つのデバイスで構成することもできる。さらに、処理部と表示制御部とを１つのデバイスで構成すると共に測定部を別のデバイスで構成したり、測定部と表示制御部とを１つのデバイスで構成すると共に処理部を別のデバイスで構成したりすることもできる。
【符号の説明】
【００５３】
１  測定装置
１４  表示制御部
１５  表示部
１６  操作部
１７  制御部
２６  情報記録機能設定キー
２７  コピーキー
５０  生成処理
Ｄ４  画像データ
Ｇ１  波形画面
Ｇ２  関連情報入力画面
Ｇｃ  一体化画像
【図１】
0006472633.tif 000002
【図２】
0006472633.tif 000003
【図３】
0006472633.tif 000004
【図４】
0006472633.tif 000005
【図５】
0006472633.tif 000006
【図６】
0006472633.tif 000007
【図７】
0006472633.tif 000008
【図８】
0006472633.tif 000009